(57)【要約】【課題】植物の栽培に必要な環境を提供する一方で、配管や配線などが不必要に露出しない、かつ、重心が低く安定している水耕栽培装置を提供することを目的とする。【解決手段】上下に棚板１３５，１４０ａと底板１２０が配置され、支持体１１０ａ，１１０ｂ，１１０ｅ，１１０ｆに前記棚板１３５，１４０ａの短辺がそれぞれ支持されている水耕栽培装置１００において、前記棚板１３５，１４０ａに、下方を照らす照明器具１６２と、前記照明器具１６２までの配線１６２ａと、前記棚板１３５，１４０ａ上に配置される植物を栽培するための容器２１０へ液肥を供給する配管１６１の一部とが組み込まれ、前記底板１２０の下に、前記液肥を入れる液肥タンク１５０Ａ，１５０Ｂと、前記液肥タンク１５０Ａ，１５０Ｂ内の前記液肥を前記配管１６１に供給するポンプ１６０と、が設けられている。【選択図】図１Ａ
2013192550.tif 000002
【特許請求の範囲】
【請求項１】
上下に棚板と底板が配置され、支持体に前記棚板の短辺がそれぞれ支持されている水耕栽培装置において、
前記棚板に、下方を照らす照明器具と、前記照明器具までの配線と、前記棚板上に配置される植物を栽培するための容器へ液肥を供給する配管の一部とが組み込まれ、
前記底板の下に、前記液肥を入れる液肥タンクと、前記液肥タンク内の前記液肥を前記配管に供給するポンプとが設けられている、
ことを特徴とする水耕栽培装置。
【請求項２】
請求項１に記載の水耕栽培装置において、
前記支持体の下部近傍にキャスターが設けられている、
ことを特徴とする水耕栽培装置。
【請求項３】
請求項１または２に記載の水耕栽培装置において、
前記照明器具および前記ポンプに接続されている蓄電池を有する、
ことを特徴とする水耕栽培装置。
【請求項４】
請求項１〜３のいずれか一項に記載の水耕栽培装置において、
前記底板上に配置される植物を栽培するための容器が設けられ、この容器に前記液肥タンク内の液肥を吸い上げて前記容器に供給するための吸収体が取り付けられている、
ことを特徴とする水耕栽培装置。
【請求項５】
請求項１〜４のいずれか一項に記載の水耕栽培装置において、
前記支持体に、格子状部材が前記棚板の下方に取り付けられている、
ことを特徴とする水耕栽培装置。
【発明の詳細な説明】
【技術分野】
【０００１】
本発明は、水耕栽培装置に関する。
【背景技術】
【０００２】
従来の水耕栽培は、大型の設備で行われていた。特許文献１は、養液を湛水する水槽と、植物を植栽するクレートと、植物の栽培環境を制御するパネルと、で栽培ユニットを構成し、この栽培ユニットを栽培室内に多数設置してユニット毎に個別に栽培環境を維持管理することを特徴とする野菜工場を開示する。
【先行技術文献】
【特許文献】
【０００３】
【特許文献１】特開２０１０−２７９２６９号公報
【発明の概要】
【発明が解決しようとする課題】
【０００４】
一般的に、工場では、植物に液肥を供給する配管や照明に電力を供給する配線などがむき出しになっている。ところで、住宅等の建物で、植物を栽培する場合、植物の栽培に必要な環境を提供する一方で、見た目を良くするために配管や配線などが不必要に露出しないことと、かつ、安全性等の確保のために装置自体の重心が低く安定していることが望まれる。
【０００５】
本発明は、植物の栽培に必要な環境を提供する一方で、配管や配線などが不必要に露出しない、かつ、重心が低く安定している水耕栽培装置を提供することを目的とする。
【課題を解決するための手段】
【０００６】
上記課題を解決するために、請求項１に記載の発明は、例えば、図１に示すように、
上下に棚板１３５と底板１２０が配置され、支持体１１０ａ，１１０ｂ，１１０ｅ，１１０ｆに前記棚板１３５の短辺がそれぞれ支持されている水耕栽培装置１００において、
前記棚板１３５に、下方を照らす照明器具１６２と、この照明器具１６２までの配線１６２ａと、前記棚板１３５上に配置される植物を栽培するための容器２１０へ液肥を供給する配管１６１の一部とが組み込まれ、
前記底板１２０の下に、前記液肥を入れる液肥タンク１５０Ａ，１５０Ｂと、前記液肥タンク１５０Ａ，１５０Ｂ内の前記液肥を前記配管１６１に供給するポンプ１６０とが設けられている、
ことを特徴とする。
【０００７】
請求項１に記載の発明によれば、前記棚板１３５に前記照明器具１６２と配線１６２ａと配管１６１の一部とが組み込まれているので、植物の栽培に必要な環境を提供できる一方で、配線１６２ａと配管１６１の一部が不必要に露出しないので、外観が向上し、更に、前記底板１２０の下に、液肥タンク１５０Ａ，１５０Ｂと、ポンプ１６０とが設けられているので、重心が下がり水耕栽培装置１００が安定する。
【０００８】
請求項２に記載の発明は、例えば、図１に示すように、
請求項１に記載の水耕栽培装置１００において、
前記支持体１１０ａ，１１０ｂ，１１０ｅ，１１０ｆの下部近傍にキャスター１３０が設けられている、
ことを特徴とする。
【０００９】
請求項２に記載の発明によれば、この支持体１１０ａ，１１０ｂ，１１０ｅ，１１０ｆの下部近傍にキャスター１３０が設けられているので、任意の場所に水耕栽培装置１００を移動できる。
【００１０】
請求項３に記載の発明は、例えば、図１に示すように、
請求項１または２に記載の水耕栽培装置１００において、
前記照明器具１６２および前記ポンプ１６０に接続されている蓄電池１５５を有する、
ことを特徴とする。
【００１１】
請求項３に記載の発明によれば、前記照明器具１６２および前記ポンプ１６０に接続されている蓄電池１５５を有するので、装置自体で独立して照明器具１６２およびポンプ１６０を動作することが可能になる。
【００１２】
請求項４に記載の発明は、例えば、図１に示すように、
請求項１〜３のいずれか一項に記載の水耕栽培装置１００において、
前記底板１２０上に配置される植物を栽培するための容器２００が設けられ、この容器２００に前記液肥タンク１５０Ａ，１５０Ｂ内の液肥を吸い上げて前記容器２００に供給するための吸収体２０２が取り付けられている、
ことを特徴とする。
【００１３】
請求項４に記載の発明によれば、前記容器２００に前記液肥タンク１５０Ａ，１５０Ｂ内の液肥を前記容器２００に供給するための吸収体２０２が取り付けられているので、配管を省略できる。
【００１４】
請求項５に記載の発明は、例えば、図１に示すように、
請求項１〜４のいずれか一項に記載の水耕栽培装置１００において、
前記支持体１１０ａ，１１０ｂに、格子状部材１４０ｂが前記棚板１３５の下方に取り付けられている、
ことを特徴とする。
【００１５】
請求項５に記載の発明によれば、前記支持体１１０ａ，１１０ｂに、格子状部材１４０ｂが前記棚板１３５の下方に取り付けられているので、つる植物が格子状部材１４０ｂに絡まり、前記照明で照らされた状態で、栽培できる。
【発明の効果】
【００１６】
本発明によれば、植物の栽培に必要な環境を提供する一方で、配管や配線などが不必要に露出しない、かつ、重心が低く安定している水耕栽培装置を提供することができる。
【図面の簡単な説明】
【００１７】
【図１Ａ】本発明に係る水耕栽培装置の一例を示す図であり、正面図である。
【図１Ｂ】同、平面図である。
【図１Ｃ】同、左側面図である。
【図１Ｄ】同、右側面図である。
【図２】同、図１のＩ−Ｉ断面図であり、左右に配置された液肥タンクを接続する配管と、底板および液肥タンクの孔の位置を示す図である。
【図３】電池収納部の前面板を左側にスライドした状態を示す図である。
【図４】水耕栽培装置の棚板の一例を示す図であり、（ａ）は正面図、（ｂ）は平面図、（ｃ）は右側面図である。
【図５】同、棚板の右側面の部分拡大図である。
【図６】棚板に取り付けられる配管の形状の一例を示す拡大図である。
【図７】本発明に係る水耕栽培装置の蓄電池収納部の一例を示す図であり、（ａ）は左側面図、（ｂ）は正面図、（ｃ）は背面図、（ｄ）は平面図である。
【図８】本発明に係る水耕栽培装置の液肥タンクの一例を示す正面図であり、（ａ）は正面図、（ｂ）は平面図、（ｃ）は右側面図である。
【図９】同、液肥タンクに挿入されている配管の状態を示す斜視図である。
【図１０】本発明に係る水耕栽培装置を建物に設置した例を示す立面断面図である。
【図１１】本発明に係る水耕栽培装置の変形例を示す図である。
【発明を実施するための形態】
【００１８】
以下、図面を参照して本発明の実施の形態について説明する。
【００１９】
＜実施の形態＞
（水耕栽培装置）
図１に示すように、前記水耕栽培装置１００は、左側のつる植物用水耕栽培部１００Ａと、中央の蓄電池１５５を収納する蓄電池収納部１００Ｂと、右側の葉菜等植物用水耕栽培部１００Ｃとを備えている。つる植物用水耕栽培部１００Ａと、蓄電池収納部１００Ｂと、葉菜等植物用水耕栽培部１００Ｃとは、一体として設けられている。前記水耕栽培装置１００は、任意の方向に移動可能にするために、キャスター１３０を有する。
【００２０】
（つる植物用水耕栽培部１００Ａ）
つる植物用水耕栽培部１００Ａは、トマトなどのつる植物を栽培するために使用される。つる植物用水耕栽培部１００Ａは、植物を栽培するための容器２００を配置する底板１２０と、この底板１２０上方に配置された天板１２５と、これらの短辺にそれぞれ配置された側板である支持体１１０ａ，１１０ｂとで形成された枠体と、この枠体の背面に配置された鏡１７０とからなる箱体に、下方を照らす照明器具１６２とこの照明器具１６２までの配線１６２ａが組み込まれた棚板１４０ａと格子状部材１４０ｂが取り付けられて構成されている。
前記棚板１４０ａとこの棚板１４０ａの下方に配置された前記格子状部材１４０ｂとは、その短辺がそれぞれ支持体１１０ａ，１１０ｂに支持されている。
【００２１】
また、棚板１４０ａと格子状部材１４０ｂは、つる植物の大きさに合わせて上下方向に移動可能である。棚板１４０ａと格子状部材１４０ｂの各々は、支持体１１０ａ，１１０ｂが対向する面から水平方向に突出している凸部１１５上に、棚板１４０ａと格子状部材１４０ｂの短辺を載せて取り付けられている。凸部１１５は、棚ダボ等の円柱形状またはフック形状等の支持部材の一部であり、この支持部材の一端を支持体１１０ａ，１１０ｂに設けられた凹部にはめ込んだ際の他端である。この凹部は、支持体１１０ａ，１１０ｂの上下方向に複数設けられており、支持部材の取り付け位置を上下方向の任意の位置に変えることにより、棚板１４０ａと格子状部材１４０ｂの取り付け位置を上下方向の任意の位置に配置することができる。
【００２２】
また、前記つる植物用水耕栽培部１００Ａに、前記底板１２０の下に液肥を入れる液肥タンク１５０Ａと、この液肥タンク１５０Ａ内の液肥を吸い上げて前記容器２００内の培地２０１に供給するための吸収体２０２とが設けられている。また、液肥タンク１５０Ａを左右に挟むように、支持体１１０ａ，１１０ｂの下部近傍に複数のキャスター１３０が設けられている。
【００２３】
（蓄電池収納部１００Ｂ）
図１および図７に示すように、前記蓄電池収納部１００Ｂは、蓄電池１５５を配置する底板１２１と、天板１２６と、これらの長辺にそれぞれ配置された側板である支持体１１０ｃ，１１０ｄとで形成された枠体と、この枠体の背面に配置された背板１２３とからなる箱体に、棚板１２７が取り付けられ構成されている。棚板１２７の長辺はそれぞれ支持体１１０ｃ，１１０ｄに支持されている。更に、前記蓄電池収納部１００Ｂは、支持体１１０ｃ，１１０ｄの下部近傍に、キャスター１３０が設けられている。
【００２４】
蓄電池１５５は、前記蓄電池収納部１００Ｂの底板１２１上に配置され、前記照明器具１６２および前記ポンプ１６０に接続され、前記照明器具１６２および前記ポンプ１６０に電力を供給している。前記ポンプ１６０の下には、防振ゴムが設けられている。なお、前記蓄電池収納部１００Ｂの背面には、つる植物用水耕栽培部１００Ａと、葉菜等植物用水耕栽培部１００Ｃとに配線するために開口部１２６ａが設けられている。
【００２５】
前記蓄電池収納部１００Ｂの前部には、蓄電池１５５の操作部１２８を露出した状態で、前記前部を覆う前面板１２９が設けられている。図３に示すように、この前面板１２９は、左右方向にスライド可能に設けられている。
【００２６】
（葉菜等植物用水耕栽培部１００Ｃ）
葉菜等植物用水耕栽培部１００Ｃは、葉菜等植物を栽培するために使用される。葉菜等植物用水耕栽培部１００Ｃは、植物を栽培するための容器２００を配置する底板１２０と、この底板１２０上方に配置された天板１２５と、これらの短辺にそれぞれ配置された側板である支持体１１０ｅ，１１０ｆと、これらの背面に配置された鏡１７０とからなる箱体に、複数の棚板１３５が取り付けられ構成されている。
【００２７】
複数の棚板１３５の短辺はそれぞれ支持体１１０ｅ，１１０ｆに支持されている。複数の棚板１３５の各々には、下方を照らす照明器具１６２と、この照明器具１６２までの配線１６２ａと、前記棚板１３５上に配置される植物を栽培するための容器２１０へ液肥を供給する配管１６１の一部とが組み込まれている。配管１６１は、ポンプ１６０から８分岐１６３を経由して各棚板１３５上まで設けられ、各棚板１３５上の容器２１０に液肥を供給するために設けられている。前記棚板１３５に組み込まれている配管１６１の一部とは、図４および図５に示すように、棚板１３５の下面に設けられている凹部に横に配置されている配管１６１であり、かん合カバー１６４により覆われている。
【００２８】
また、複数の棚板１３５は、葉菜等植物の大きさに合わせて上下方向に移動可能である。複数の棚板１３５の各々は、支持体１１０ｅ，１１０ｆが対向する面から水平方向に突出している凸部１１５上に、棚板１３５の短辺を載せて取り付けられている。凸部１１５は、棚ダボ等の円柱形状またはフック形状等の支持部材の一部であり、この支持部材の一端を支持体１１０ｅ，１１０ｆに設けられた凹部にはめ込んだ際の他端である。この凹部は、支持体１１０ａ，１１０ｂの上下方向に複数設けられており、支持部材の取り付け位置を上下方向の任意の位置に変えることにより、棚板１４０ａと格子状部材１４０ｂの取り付け位置を上下方向の任意の位置に配置することができる。
【００２９】
また、前記葉菜等植物用水耕栽培部１００Ｃは、前記底板１２０の下に液肥を入れる液肥タンク１５０Ｂと、この液肥タンク１５０Ｂ内の液肥を吸い上げて前記容器２００内の培地２０１に供給するための吸収体２０２とが設けられ構成されている。この吸収体２０２としては、布、綿等が使用できる。また、液肥タンク１５０Ｂを左右に挟むように、支持体１１０ｅ，１１０ｆの下部近傍に複数のキャスター１３０が設けられている。液肥タンク１５０Ｂ内には、ポンプ１６０が取り付けられ、ポンプを駆動することにより、配管１６１に液肥を送り込み、棚板１３５上の容器２１０に液肥が供給される。
【００３０】
（棚板）
図４および図５に示すように、棚板１３５に、ＬＥＤユニットなどの下方を照らす２つの照明器具１６２と、前記蓄電池１５５から前記照明器具１６２まで設けられている配線１６２ａの一部とが組み込まれている。配線１６２ａは、蓄電池収納部１００Ｂ内の蓄電池１５５と接続されている。また、棚板１３５に凹部が設けられ、この凹部に照明器具１６２の下面と棚板１３５の下面が面一になるように照明器具１６２が組み込まれている。また、棚板１３５には、２本の配管１６１の一部が組み込まれている。また、棚板１３５に凹部が設けられ、この凹部に配管１６１を覆うかん合カバー１６４の下面と棚板１３５の下面が面一になるように配管１６１の一部が組み込まれている。
【００３１】
図４〜図６に示すように、棚板１３５内の配管の分岐部分には、Ｔ字型の接続部材１６５が使用され、この接続部材１６５が逆Ｔ字型に配置されている。この逆Ｔ字型に配置されている接続部材１６５は、横方向に延びる管と、この管と交差して中央部から上に延びる管とで構成されている。この接続部材１６５の中央部から上に延びる管は、上下に延びている管を有するミニバルブ１６６の下部と配管１６１で接続されている。ミニバルブ１６６は、液肥の供給量を制御するために使用される。このミニバルブ１６６の上部の管内にステンレス丸鋼などの心材１６７が上方から挿入されている。この心材１６７とミニバルブ１６６の上部とを配管１６１が覆っている一方で、この配管１６１が心材１６７とともにミニバルブ１６６の上方に延出している。また、ミニバルブ１６６の上方に延出している配管１６１と心材１６７とが途中で曲げられて、配管１６１の先端が心材１６７と共に下方を向いている。下方を向いている配管１６１の先端から心材１６７が下方に延出し、この心材１６７の延出部分が配管１６１の先端を挟むように上方を向いて曲げられている。
【００３２】
（配管とミニバルブと心材との関係）
前記配管１６１の内径はミニバルブ１６６の管の内径より大きく、ミニバルブ１６６の管の内径は心材１６７の直径より大きい。ポンプが作動して液肥が送られてきたとき、ミニバルブ１６６の上部の管の内周面と心材１６７の外周面の間を液肥が通り、ミニバルブ１６６より上では、配管１６１の内周面と心材１６７の外周面の間を液肥が通り、下方を向いている配管１６１の先端から容器２１０に液肥が落ちる。
【００３３】
（液肥タンク）
図８を参照して、液肥タンク１５０Ａについて説明する。
液肥タンク１５０Ａは、アクリル板等で形成された直方体状のタンクである。液肥タンク１５０Ａは、矩形状の上面板１５０Ａ１と矩形状の下面板１５０Ａ２とが上下に平行に配置され、上面板１５０Ａ１と下面板１５０Ａ２の短辺のそれぞれに鉛直に配置される矩形状の２枚の短辺側板１５０Ａ３と、上面板１５０Ａ１と下面板１５０Ａ２の長辺側のそれぞれに鉛直に配置される矩形状の２枚の長辺側板１５０Ａ４とで構成されている。
【００３４】
短辺側板１５０Ａ３と上面板１５０Ａ１との接合部に、アングル材１５２が設けられ、上面板１５０Ａ１の短辺側の強度を向上している。また、液肥タンク１５０Ａの中央部に上面板１５０Ａ１と下面板１５０Ａ２とを接続しているアクリル支柱１５３を設けて、中央部の強度を向上している。
【００３５】
また、液肥タンク１５０Ａの右側には、上面板１５０Ａ１と下面板１５０Ａ２とが接続されている円筒状のフロートガイド１５４が設けられている。フロートガイド１５４の下部には２つの孔１５４ａが設けられ、フロートガイド１５４内に液肥が入るようになっている。フロートガイド１５４内には浮き１５６が配置され、浮き１５６の上部が上面板１５０Ａ１から上方に突出するように上面板１５０Ａ１に孔が設けられている。この浮き１５６の高さ確認することにより、液肥の残量を把握できる。
【００３６】
図２に示すように、液肥タンク１５０Ａと液肥タンク１５０Ｂは、配管１６１ａで繋がれており、ポンプを用いて液肥タンク１５０Ｂから液肥タンク１５０Ａに液肥タンク１５０Ｂの液肥を供給できる。また、図９示すように、液肥タンク１５０Ａ（１５０Ｂ）には、液肥タンクの長辺側板１５０Ａ４の上部に孔１６１ｂが設けられ、この孔１６１ｂに配管１６１ａが挿入されている。なお、液肥タンク１５０Ｂは、液肥タンク１５０Ａと比べて、Ｌ字型管状の液肥注入部１５０ａが液肥タンク１５０Ｂの長辺側板に設けられている点で異なる。
【００３７】
また、液肥タンク１５０Ａ，１５０Ｂの各々は、タンク支持部１５１により支持されている。タンク支持部１５１は、下面板１５０Ａ２と２枚の短辺側板１５０Ａ３を覆うコ字型であり、底板１２０に短辺側板１５０Ａ３の上端が取り付けられている。また、タンク支持部１５１を左右に挟むように、支持体１１０ａ，１１０ｂの下部近傍に複数のキャスター１３０が設けられている。
【００３８】
（液肥の供給）
液肥タンク１５０Ｂ内に設置されているポンプ１６０を作動させると、液肥タンク１５０Ｂ内の液肥が、ポンプ１６０に接続された配管１６１内を通り、８分岐に送られ、８分岐１６３で分岐された下の棚板１３５用の配管１６１内と上の棚板１３５用の配管１６１を通り、各棚板１３５に送られる。各棚板１３５に送られた液肥は、各棚に組み込まれた配管１６１内を通り、逆Ｔ字型に配置された接続部材１６５を経由して棚板１３５上の配管１６１の先端まで供給され、棚１３５上の容器２１０に液肥が供給される。棚板１３５上の配管１６１の途中には、ミニバルブ１６６が設けられていて、液肥の供給量が調節されている。
【００３９】
（水耕栽培装置の設置例）
水耕栽培装置１００が建物内に設置される例について説明する。例えば、図１０に示すように、居室１０に隣接する収納区画２０に水耕栽培装置１００が設置される。前記居室１０と前記収納区画２０との間には、開口部３０が設けられ、この開口部３０に透明または半透明の引き分け戸である仕切り建具３１が設けられている。また、前記収納区画２０の床２１は、前記居室１０の床１１より低くなっている。前記収納区画２０の床２１はコンクリートの土間であり、この土間上に水耕栽培装置１００が設置されている。
【００４０】
このように、建物内の収納区画２０に水耕栽培装置１００を設置した場合でも、水耕栽培装置１００に、照明器具１６２と配管１６１等の植物の栽培に必要な器具等が組み込まれているので、自然光が届かない建物内の空間においても、植物の栽培をすることが可能になる。
【００４１】
本実施の形態によれば、前記棚板１３５に照明器具１６２と配線１６２ａと配管１６１の一部とが組み込まれているので、植物の栽培に必要な環境を提供できる一方で、配線１６２ａと配管１６１が不必要に露出しないので、外観が向上し、更に、前記底板１２０の下に、液肥タンク１５０Ａ，１５０Ｂと、ポンプ１６０とが設けられているので、重心が下がり水耕栽培装置１００が安定する。
【００４２】
また、この支持体１１０ａ〜１１０ｆの下部近傍にキャスター１３０が設けられているので、任意の場所に水耕栽培装置１００を移動できる。
【００４３】
また、前記照明器具１６２および前記ポンプ１６０に接続されている蓄電池１５５を有するので、装置自体で独立して照明器具１６２およびポンプ１６０を動作することが可能になる。
【００４４】
また、前記容器２００に前記液肥タンク１５０Ａ，１５０Ｂ内の液肥を前記容器２００に供給するための吸収体が取り付けられているので、配管を省略できる。
【００４５】
また、前記支持体１１０ａ，１１０ｂに、格子状部材１４０ｂが前記棚板１４０ａの下方に取り付けられているので、つる植物が格子状部材１４０ｂに絡まり、前記照明で照らされた状態で、栽培できる。
【００４６】
（変形例）
次に、図１１を参照して、変形例について以下説明する。なお、変形例においては、上記実施の形態と同じ部材には同一の符号を付し、説明を省略する。
【００４７】
上記実施の形態においては、側板である支持体１１０ｆにおいて、外部から配管１６１が見えるようにしているが、これに限られない。図１１に示すように、支持体１１１の内部に配管１６１を配置して、外部から見えないようにしてもよい。また、上下方向に選択的に棚板１３５を配置できるように支持体１１１の内部に予め配管を配置しておいてもよい。
【００４８】
また、上記実施の形態においては、蓄電池１５５を使用する例について説明したが、これに限られない。蓄電池１５５を使用する代わりに、商用電源を使用してもよい。
【００４９】
また、上記実施の形態においては、つる植物用水耕栽培部１００Ａについて、照明器具１６２と配線１６２ａが設けられている棚板１４０ａを使用する例について説明したが、これに限られない。棚板１４０ａの代わりに、照明器具１６２と配線１６２ａと配管１６１が設けられている棚板１３５を使用してもよい。
【００５０】
また、上記実施の形態においては、支持体１１０ａ〜１１０ｆが側板である例について説明したが、これに限られない。側板の代わりに、複数のパイプを用いて、棚板等の隅部を支持するように水耕栽培装置１００を構成してもよい。
【００５１】
また、上記実施の形態においては、ポンプが作動して液肥が送られてきたとき、ミニバルブ１６６の上部の管の内周面と心材１６７の外周面の間を液肥が通るようにしたが、これに限られない。管状の心材を用いて、この心材の外周面とミニバルブ１６６の上部の管の内周面と接するようにして構成してもよい。ポンプが作動して液肥が送られてきたとき、ミニバルブ１６６の上部から心材内を液肥が通り、心材の先端から容器２１０に液肥が落ちる構成としてもよい。
【符号の説明】
【００５２】
１００  水耕栽培装置
１００Ａ  植物用水耕栽培部
１００Ｂ  蓄電池収納部
１００Ｃ  葉菜等植物用水耕栽培部
１１０ａ-１１０ｆ  支持体
１２０，１２１  底板
１２５，１２６  天板
１３０  キャスター
１３５，１４０ａ  棚板
１４０ｂ  格子状部材
１５０Ａ，１５０Ｂ  液肥タンク
１５１  タンク支持部
１５５  蓄電池
１６０  ポンプ
１６１，１６１ａ  配管
１６２  照明器具
１６２ａ  配線
１７０  鏡
２００，２１０  容器
２０１  培地
２０２  吸収体
【図１Ａ】
2013192550.tif 000003
【図１Ｂ】
2013192550.tif 000004
【図１Ｃ】
2013192550.tif 000005
【図１Ｄ】
2013192550.tif 000006
【図２】
2013192550.tif 000007
【図３】
2013192550.tif 000008
【図４】
2013192550.tif 000009
【図５】
2013192550.tif 000010
【図６】
2013192550.tif 000011
【図７】
2013192550.tif 000012
【図８】
2013192550.tif 000013
【図９】
2013192550.tif 000014
【図１０】
2013192550.tif 000015
【図１１】
2013192550.tif 000016